(57)【要約】      （修正有）【課題】複雑な指使いを行うことなく、幼い子供から老人まで演奏できるようにした笛を提供する。【解決手段】共鳴胴部(11)、吹き口(12)、気道(13)及び歌口(14)を備えた笛において、第１ないし第９の全ての指孔を閉じた時にドの音階、第１の指孔を開くとレの音階、第１、第２の指孔を開くとファの音階、第１〜第３の指孔を開くとソの音階、第１〜第４の指孔を開くとラの音階、第１〜第５の指孔を開くと高音のドの音階、第１〜第６の指孔を開くと高音のレの音階、第１〜第７の指孔を開くと高音のミの音階、第１〜第８の指孔を開くと高音のファの音階、第１〜第９の指孔を開くと高音のソの音階を得るように構成するとともに、一方の手の小指は共鳴胴部を支えるのに用いる。【選択図】図１
0003125357.tif 000002
【実用新案登録請求の範囲】
【請求項１】
内部が空洞となった共鳴胴部と、共鳴胴部に設けられた吹き口と、吹き口から共鳴胴部内に延びる気道と、気道の奥に開口された歌口とを備えた笛において、下記の要件(1)〜(4)を備え、民謡の音階を発するようになっていることを特徴とする笛。
(1)．共鳴胴部の正面部分には一方の手の小指、薬指、中指、人指し指によって開閉される第１ないし第４の指孔が形成されるとともに、他方の手の薬指、中指、人指し指によって閉じられる第５ないし第７の指孔が形成されている。
(2)．共鳴胴部の裏面部分には一方の手の親指によって閉じられる第８の指孔、及び他方の手の親指によって閉じられる第９の指孔が形成されている。
(3)．第１ないし第９の指孔は、全ての指孔が閉じられた時にドの音階、第１の指孔が開かれた時にレの音階、第１、第２の指孔が開かれた時にファの音階、第１〜第３の指孔が開かれた時にソの音階、第１〜第４の指孔が開かれた時にラの音階、第１〜第５の指孔が開かれた時に高音のドの音階、第１〜第６の指孔が開かれた時に高音のレの音階、第１〜第７の指孔が開かれた時に高音のミの音階、第１〜第８の指孔が開かれた時に高音のファの音階、第１〜第９の指孔が開かれた時に高音のソの音階が得られる位置に形成されている。
(4).他方の手の小指は共鳴胴部を支えるのに用いられる。
【請求項２】
オカリナの形状をなし、上端部位に吹き口が、その上辺部分に第１〜第４の指孔と第８の指孔が形成され、下辺部分に第５〜第７の指孔と第９の指孔が形成されている請求項１記載の笛。
【請求項３】
横笛の形状をなし、中央に吹き口が、その一側方の部分に第１〜第４の指孔と第８の指孔が形成され、他側方の部分に第５〜第７の指孔と第９の指孔が形成されている請求項１記載の笛。
【請求項４】
立て笛の形状をなし、上端に吹き口が、その上側部分に第１〜第４の指孔と第８の指孔が形成され、下側部分に第５〜第７の指孔と第９の指孔が形成されている請求項１記載の笛。
【請求項５】
陶磁器、木、竹、金属又はプラスチックから選ばれる材料で製作されている請求項１ないし４のいずれかに記載の笛。
【考案の詳細な説明】
【技術分野】
【０００１】
本考案は笛に関し、特に複雑な指使いを行うことなく、幼い子供から老人まで演奏できるようにした笛に関する。
【背景技術】
【０００２】
オカリナは古くから親しまれた共鳴楽器の一種であって、共鳴胴部に吹き口、気道及び歌口を形成する一方、共鳴胴部の表面に１０箇所の指孔を、裏面に２箇所の指孔を形成し、両手の指で予め定められた指孔を塞ぎ、奏者が吹き口に息を吹き込むことによって音が発生し、指孔を適宜開閉することによってドレミファ・・・の音階を出せるようになっている（特許文献１）。
【０００３】
上述の第１０の指孔は左手の小指で操作され、オカリナの最高音である「ミ♭」と「ファ」の音を出すために用いられるが、大部分の演奏曲は第１０の指孔を用いることはほとんどなく、第１０の指孔は左手の小指で常に塞がれている。
【０００４】
しかし、演奏中に左手の小指以外の指を動かしている時に、左手の小指も動いてしまいやすく、第１０の指孔から空気が漏れ出して音階が狂うことがあった。
【０００５】
そこで、第１０の指孔を閉栓キャップで塞ぐことが提案されている（特許文献２）。
【０００６】
【特許文献１】特開２００１−２１５９５５号公報
【特許文献２】特開２００５−２７５２０７号公報
【考案の開示】
【考案が解決しようとする課題】
【０００７】
しかし、従来のオカリナではドレミファ・・・の音階を出すための手指の操作が複雑で、初級者、特に幼い子供や老人には扱い難いという問題があった。
【０００８】
本考案はかかる問題点に鑑み、複雑な指使いを行うことなく、幼い子供から老人まで演奏できるようにした笛を提供することを課題とする。
【課題を解決するための手段】
【０００９】
そこで、本考案に係る笛は、内部が空洞となった共鳴胴部と、共鳴胴部に設けられた吹き口と、吹き口から共鳴胴部内に延びる気道と、気道の奥に開口された歌口とを備えた笛において、下記の要件(1)〜(4)を備え、民謡の音階を発するようになっていることを特徴とする。
(1)．共鳴胴部の正面部分には一方の手の小指、薬指、中指、人指し指によって開閉される第１ないし第４の指孔が形成されるとともに、他方の手の薬指、中指、人指し指によって閉じられる第５ないし第７の指孔が形成されている。
(2)．共鳴胴部の裏面部分には一方の手の親指によって閉じられる第８の指孔、及び他方の手の親指によって閉じられる第９の指孔が形成されている。
(3)．第１ないし第９の指孔は、全ての指孔が閉じられた時にドの音階、第１の指孔が開かれた時にレの音階、第１、第２の指孔が開かれた時にファの音階、第１〜第３の指孔が開かれた時にソの音階、第１〜第４の指孔が開かれた時にラの音階、第１〜第５の指孔が開かれた時に高音のドの音階、第１〜第６の指孔が開かれた時に高音のレの音階、第１〜第７の指孔が開かれた時に高音のミの音階、第１〜第８の指孔が開かれた時に高音のファの音階、第１〜第９の指孔が開かれた時に高音のソの音階が得られる位置に形成されている。
(4).他方の手の小指は共鳴胴部を支えるのに用いられる。
【００１０】
今、吹き口から息を吹き込むと、その空気の流れは気道を経て歌口にある共鳴部に当たり、空気の一部は歌口から外方に、残部は共鳴胴部に流れ、共鳴音が発生する。
【００１１】
本考案の特徴の１つは一方の手の小指から人指し指、他方の手の薬指から人指し指、さらに両手の親指を順に開放することによってド、レ、ファ、ソ、ラ、高音のド、高音のレ、高音のミ、高音のファ、高音のソの民謡の音階を発生させるようにした点にある。
【００１２】
これにより、指を順に開放するという簡単な指使いで音階を発生させることができるので、指使いに慣れていない初級者から上級者まで、又幼い子供から老人まで民謡を演奏できる。
【００１３】
また、他方の手の小指は共鳴胴部を支えるのに用いられるので、他の９本の指を共鳴胴部から離しても演奏に支障をきたすことはない。
【００１４】
また、従来のオカリナのように、小指が操作される第１０の指孔がないので、演奏中に指孔から空気が洩れることもない。
【００１５】
笛の形態は特に限定されず、例えばオカリナの形状となし、上端部位に吹き口を、その上辺部分に第１〜第４の指孔と第８の指孔を形成し、下辺部分に第５〜第７の指孔と第９の指孔を形成するようにしてもよい。
【００１６】
また、横笛の形状となし、中央に吹き口を、その一側方の部分に第１〜第４の指孔と第８の指孔を形成し、他側方の部分に第５〜第７の指孔と第９の指孔を形成するようにしてもよい。
【００１７】
さらに、立て笛の形状となし、上端に吹き口を、その上側部分に第１〜第４の指孔と第８の指孔を形成し、下側部分に第５〜第７の指孔と第９の指孔を形成するようにすることもできる。
【００１８】
笛の材質は特に限定されず、陶器、木、竹、金属又はプラスチックから選ばれる材料で製作されることができる。
【考案を実施するための最良の形態】
【００１９】
以下、本考案を具体例に基づいて詳細に説明する。図１ないし図３は本考案に係る笛の好ましい実施形態を示す。図において、笛１０は陶磁器でオカリナに類似した形状に製作され、笛１０は共鳴胴部１１、吹き口１２、気道１３、歌口１４が設けられている。
【００２０】
共鳴胴部１１はほぼ三角形状をなし、内部が空洞に構成されている。吹き口１２は共鳴胴部１１の頂部に形成され、気道１３は吹き口１２から共鳴胴部１１内に延びて形成され、又歌口１４は気道１３の奥に位置して共鳴胴部１１に開口され、気道１３と歌口１４との境界部分には１ｍｍ程度の厚みの共鳴部が形成されている。
【００２１】
また、共鳴胴部１１の正面部分には右手の小指、薬指、中指、人指し指によって開閉される第１ないし第４の指孔２０〜２３が形成されるとともに、左手の薬指、中指、人指し指によって閉じられる第５ないし第７の指孔２４〜２６が形成されている。
【００２２】
共鳴胴部１１の裏面部分には右手の親指によって閉じられる第８の指孔２７、及び左手の親指によって閉じられる第９の指孔２８が形成されている。
【００２３】
第１ないし第９の指孔２０〜２８は次のような音階が得られる位置に設定されている。つまり、全ての指孔２０〜２８が閉じられた時にドの音階、第１の指孔２０が開かれた時にレの音階、第１、第２の指孔２０、２１が開かれた時にファの音階、第１〜第３の指孔２０〜２２が開かれた時にソの音階、第１〜第４の指孔２０〜２３が開かれた時にラの音階、第１〜第５の指孔２０〜２４が開かれた時に高音のドの音階、第１〜第６の指孔２０〜２５が開かれた時に高音のレの音階、第１〜第７の指孔２０〜２６が開かれた時に高音のミの音階、第１〜第８の指孔２０〜２７が開かれた時に高音のファの音階、第１〜第９の指孔２０〜２８が開かれた時に高音のソの音階が得られる。
【００２４】
これらの指孔２０〜２８の位置は原料の土を捏ねて造形し、焼成後の収縮を考慮して音階調整器を用いて指孔の位置を決定して穿設する。
【００２５】
また、左手の小指は共鳴胴部１１を支えるのに用いられる。なお、図中、１５は足台である。
【００２６】
演奏を行う場合には右手の小指から人指し指、左手の薬指から人指し指、さらに右手の親指、左手の親指の順で開くと、ド、レ、ファ、ソ、ラ、高音のド、高音のレ、高音のミ、高音のファ、高音のソの民謡の音階を発生させることができる。
【００２７】
上述の指使いは従来のオカリナと異なって非常に簡単であるので、指使いに慣れていない初級者から、オカリナの指使いに慣れた上級者、又幼い子供から老人まで笛の演奏を楽しむことができる。
【００２８】
なお、本例の笛では吹き口１２への息の吹き込み方や強弱によって鳴音が変化する。また、吹き口１２及び／又は歌口１４を広く形成すると、強く吹くことができる。そこで、本例の笛を使用する人の肺活量などに応じて吹き口１２や歌口１４の大きさを適切に設定することによって使いやすい笛を得ることができる。
【００２９】
図４は他の実施形態を示す。図４の(a)(b)は第２の実施形態を示す。本例では縦笛の形態をなし、正面部分の上下に第１ないし第７の指孔２０〜２６が形成され、裏面部分に第８、第９の指孔２７、２８と歌口１４が形成されている。
【００３０】
図４の(c)(d)は第３の実施形態を示す。本例では太い縦笛の形態をなし、正面部分の上下に第１ないし第７の指孔２０〜２６が形成され、裏面部分に第８、第９の指孔２７、２８と歌口１４が形成されている。
【００３１】
図４の(e)(f)は第４の実施形態を示す。本例では横笛の形態をなし、共鳴胴部１１の中央に歌口１２が形成され、一側方の正面部分に第１ないし第４の指孔２０〜２３が形成され、裏面部分に第８の指孔２７が形成されている。また、共鳴胴部１１の他側方の正面部分に第５ないし第７の指孔２４〜２６が形成され、裏面部分に第９の指孔２８が形成され、裏面部分の中央には歌口１４が形成されている。
【００３２】
なお、上記の例では材質を陶磁器としたが、これに限定されず、木、竹、金属、プラスチックなどの材料を用いることができる。
【図面の簡単な説明】
【００３３】
【図１】本考案に係る笛の好ましい実施形態を示す概略正面図である。
【図２】上記実施形態の使用状態を示す正面図である。
【図３】上記実施形態の使用状態を示す正面図である。
【図４】他の実施形態を示す図である。
【符号の説明】
【００３４】
１０      笛
１１      共鳴胴部
１２      吹き口
１３      気道
１４      歌口
２０〜２８    第１〜第９の指孔
【図１】
0003125357.tif 000003
【図２】
0003125357.tif 000004
【図３】
0003125357.tif 000005
【図４】
0003125357.tif 000006